(57)【要約】  ３次元画像をレンダリング又は変換する携帯装置が開示される。携帯装置は、装置に対するユーザの距離及び／又は位置を決定し、３次元画像を調整して、検知された距離及び／又は位置における３次元画像の観察を向上する。
2008503779.tif 000002
【特許請求の範囲】
【請求項１】
３次元画像を表示する装置であって、
前記３次元画像を表示する表示面と、
前記装置と前記装置のユーザの位置及び距離のうち少なくとも１つに関する距離データを収集するセンサと、
前記距離データに基づいて前記３次元画像を生成する画像生成部と
を備えることを特徴とする装置。
【請求項２】
前記センサは近接センサであることを特徴とする請求項１に記載の装置。
【請求項３】
前記センサはカメラであることを特徴とする請求項１に記載の装置。
【請求項４】
前記カメラは、前記ユーザの特徴の大きさに基づいて距離データを作成することを特徴とする請求項３に記載の装置。
【請求項５】
前記特徴は、ユーザの目、鼻、顔面及び口のうち少なくとも１つであることを特徴とする請求項４に記載の装置。
【請求項６】
前記カメラは、前記ユーザの２つの特徴の間の距離に基づいて距離データを作成することを特徴とする請求項３に記載の装置。
【請求項７】
前記２つの特徴は左目及び右目であることを特徴とする請求項６に記載の装置。
【請求項８】
前記２つの特徴は目及び鼻であることを特徴とする請求項６に記載の装置。
【請求項９】
前記距離データは、前記ユーザと前記装置との間でリアルタイムで検知された位置、リアルタイムで検知された距離、のうち少なくとも１つを含むことを特徴とする請求項１に記載の装置。
【請求項１０】
前記距離データは、位置データ又は距離データの前回のセットと、位置データ又は距離データの現在検知されているセットとの間の差を含むことを特徴とする請求項１に記載の装置。
【請求項１１】
更に、蓄電池を備えることを特徴とする請求項１に記載の装置。
【請求項１２】
前記装置は、携帯電話、パーソナルデジタルアシスタント（ＰＤＡ）、及びラップトップコンピュータのうち少なくとも１つであることを特徴とする請求項１に記載の装置。
【請求項１３】
３次元画像をレンダリングする方法であって、
ユーザの位置及び距離のうち少なくとも１つを検知するステップと、
前記ユーザの前記位置又は前記距離のうち少なくとも１つに基づいて距離データを作成するステップと、
前記距離データに基づいて前記３次元画像をレンダリングするステップと
を備えることを特徴とする方法。
【請求項１４】
更に、
前記ユーザの前記位置及び前記距離のうち少なくとも１つを再検知するステップと、
前記レンダリングされた３次元画像は調整が必要であるかを判定するステップと、
前記レンダリングされた３次元画像は調整が必要であると判定された場合、前記レンダリングされた３次元画像を調整するステップと、
前記３次元画像のレンダリングを必要とするイメージングアプリケーションを終了するかを判定するステップと
を備えることを特徴とする請求項１３に記載の方法。
【請求項１５】
更に、
前記イメージングアプリケーションを終了しないと判定した場合、
前記再検知のステップと、前記レンダリングされた３次元画像は調整が必要であるかを判定するステップと、前記調整するステップと、前記３次元画像のレンダリングを必要とするイメージングアプリケーションを終了するかを決定するステップとを繰り返す工程を備える
ことを特徴とする請求項１４に記載の方法。
【請求項１６】
イメージングアプリケーションを終了するかを判定する前記ステップは、前記イメージングアプリケーションを終了する入力を前記ユーザから受信するステップを備えることを特徴とする請求項１４に記載の方法。
【請求項１７】
事前にレンダリングされた３次元画像を変換する方法であって、
前記事前にレンダリングされた３次元画像を受信するステップと、
前記ユーザの位置及び距離のうち少なくとも１つを検知するステップと、
前記ユーザの前記検知された位置及び前記検知された距離のうち少なくとも１つに基づいて距離データを生成するステップと、
前記事前にレンダリングされた３次元画像を前記距離データに基づいて変換するステップと
を備えることを特徴とする方法。
【請求項１８】
更に、
前記ユーザの前記位置及び前記距離のうち少なくとも１つを再検知するステップと、
前記変換された事前にレンダリングされた３次元画像は調整が必要であるかを判定するステップと、
前記事前にレンダリングされた３次元画像は調整が必要と判定された場合、前記変換された事前にレンダリングされた３次元画像を調整するステップと、
前記３次元画像の変換を必要とするイメージングアプリケーションを終了するかを判定するステップと
備えることを特徴とする請求項１７に記載の方法。
【請求項１９】
更に、
前記イメージングアプリケーションを終了しないと判定した場合、
前記再検知するステップと、前記変換された事前にレンダリングされた３次元画像は調整が必要であるかを判定するステップと、前記調整するステップと、前記３次元画像の変換を必要とするイメージングアプリケーションを終了するかを判定するステップとを繰り返すステップ
を備えることを特徴とする請求項１８に記載の方法。
【請求項２０】
イメージングアプリケーションを終了するかを判定する前記ステップは、前記イメージングアプリケーションを終了する入力を前記ユーザから受信するステップを備えることを特徴とする請求項１８に記載の方法。
【発明の詳細な説明】
【技術分野】
【０００１】
本発明は、３次元イメージングが可能な表示画面に関し、特に、携帯電話及びコンピュータ表示画面などの特定の用途に対する３次元イメージングに関する。しかし、本発明はこれに限定されない。
【背景技術】
【０００２】
コンピュータ及びハンドヘルド型携帯電話が普及し世界的に受け入れられていることは、十分に認識されている。この広範な使用の結果、コンピュータ及び携帯電話は、現代社会及び現代のビジネスの双方において一般的なものとなった。これらの技術が成功した理由は数多くある。例えば、技術に関連する一般的な快適性に加えて、ユーザが情報を通信及び／又は情報にアクセスできる固有の容易性が挙げられる。携帯電話及びコンピュータの表示画面は、電話通信及び情報のアクセスの双方に不可欠なものである。
【０００３】
近年、コンピュータ画面及び携帯電話送受話器の表示画面の双方に、技術革新及びそれに関連する快適性が示されてきた。今日、コンピュータの表示画面及び携帯電話の表示画面は、様々な大きさ及び形状で製造販売されており、それらは最新の液晶ディスプレイ（ＬＣＤ）技術を利用して、色の表示及び低電力での表示を向上させる。表示画面の「低電力」に関する面は、携帯電話の分野において特に重要である。現代の携帯電話の機能に対して、消費電力及び電池寿命の効率向上が要求されている。同様に、ある表示技術により向上された表示により、コンピュータ及び携帯電話の双方のユーザに対して鮮明度及び効率が向上された。これにより、３次元表示イメージングなどの面を向上できる。
【０００４】
立体イメージング、すなわち３次元イメージングは、２次元画像において奥行きの錯覚を作成する技術である。３次元イメージングは、写真、ビデオ、ゲーム、携帯電話及びアニメーションなど様々な用途で受け入れられ普及している。
【０００５】
現在、３次元イメージングは、一対の２次元画像によりレンダリングされる。奥行き知覚、すなわち３次元画像を作成するために、観察者の左目には、右目に対する画像とは異なる画像が提供される。この異なる２つ画像は、同一の画像の２つの透視図であるが、両目視において両目が自然に受け取る透視図と同様の小さいずれを有する。１９世紀半ば、Charles Wheatstoneは、２つのわずかに異なる画像を並べて印刷することにより、立体視の最初の形を作成した。観察者は、２つの画像が３つに見えるように、自身の視線を交差させるか又は視線をずらす必要がある。各目が異なる画像を見るので、３つの画像のうち中央の画像において奥行き効果が実現される。この技術は、わずかに異なる写真を同時に撮影する特別なカメラと、その特別な写真を観察する二重レンズ立体鏡とを含むように、後に改良された。
【０００６】
立体動画を作成するためには、２つの画像は、直交偏光フィルタを通して、同一画面上に重ね合わせて投射される。観察者は、一対の直交偏光フィルタを有する眼鏡を装着する。各フィルタは、同じ角度に偏光された光を通過させ且つ垂直に偏光された光を遮断するため、各目は一方の画像のみを観察し、３次元イメージング効果が作成される。同様の試みにおいて、偏光フィルタの代わりに色フィルタを用いて３次元画像を作成してもよい。観察者の一方の目に対する画像は、赤などの第１の色で作成され、他方の目に対する画像は、青又は緑などの対比色で作成される。観察者は、各々の目に対する色フィルタを有する眼鏡を介して画像を観察する。色フィルタ方式は、白黒画像に対しては好適に作用するが、色フィルタは、カラー画像における色の知覚に影響を及ぼす。
【０００７】
携帯電話又はラップトップコンピュータなどの画面上での用途のための現在の３次元グラフィクスは、画像の特定のセットを観察者の左目へ送り且つ画像の別のセットを観察者の右目へ送ることによりレンダリングされ、奥行き感を作成する。目が画面から所定の範囲（例えば、３０〜５０ｃｍ）にあり且つ画面の中央から平角の高さになるように、画面の相対的位置及び目は固定される。画像のセットは画面上に重ね合わされるが、３次元画像のわずかに異なる透視図を示す。一方の目に対する画像は、他方の目に対する画像から水平方向にわずかにずらされる。観察者が画面から所定の範囲内にいない場合、３次元画像は適切に観察されない。例えば、３次元画像はぼやけて、右目用画像及び左目用画像の個別のセットに分離する。更に、携帯電話及びラップトップコンピュータなどに対する３次元画像は、現在、前面角からのみ観察可能である。
【発明の開示】
【課題を解決するための手段】
【０００８】
本発明は、表示画面に関し、特に、３次元画像を利用して観察を向上する携帯電話送受話器、コンピュータ表示画面、及び関連する通信装置に関する。一実施形態において、本発明は、３次元画像を表示する装置を含む。この装置は、３次元画像を表示する表示面と、装置とこの装置のユーザの位置及び距離のうち少なくとも１つに関する距離データを収集するセンサと、距離データに基づいて３次元画像を生成する画像生成部とを備える。センサは、近接センサ、ユーザの特徴の大きさに基づいて距離データを作成するカメラ、又は他の距離検出技術を用いるシステムであってもよい。
【０００９】
別の実施形態において、上述の位置データ又は距離データは、ユーザと装置との間の検知された距離、又は距離データの前回のセットと距離データの現在検知されているセットとの間の差を含む。いくつかの実施形態において、本発明は、携帯電話、パーソナルデジタルアシスタント（ＰＤＡ）、及びラップトップコンピュータのうち少なくとも１つに組み込まれる。
【００１０】
別の面において、本発明の一実施形態は、３次元画像をレンダリングする方法を含む。この方法は、ユーザの位置及び距離のうち少なくとも１つを検知するステップと、ユーザの位置及び／又は距離に基づいて距離データを作成するステップと、距離データに基づいて３次元画像をレンダリングするステップとを備える。この方法は、ユーザの位置及び／又は距離を再検知するステップと、レンダリングされた３次元画像は調整が必要であるかを判定するステップと、レンダリングされた３次元画像は調整が必要であると判定された場合、レンダリングされた３次元画像を調整するステップと、３次元画像のレンダリングを必要とするイメージングアプリケーションを終了するかを判定するステップとを更に備える。イメージングアプリケーションを終了しないと判定した場合、本発明の一実施形態は、再検知するステップと、レンダリングされた３次元画像は調整が必要であるかを判定するステップと、調整するステップと、３次元画像のレンダリングを必要とするイメージングアプリケーションを終了するかを判定するステップとを繰り返すことを含む。
【００１１】
別の面において、本発明の一実施形態は、事前にレンダリングされた３次元画像を変換する方法を含む。この方法は、事前にレンダリングされた３次元画像を受信するステップと、ユーザの位置及び距離のうち少なくとも１つを検知するステップと、ユーザの検知された位置又は検知された距離に基づいて距離データを生成するステップと、事前にレンダリングされた３次元画像を距離データに基づいて変換するステップと備える。上述の方法は、ユーザの位置又は距離を再検知するステップと、変換された事前にレンダリングされた３次元画像は調整が必要であるかを判定するステップと、事前にレンダリングされた３次元画像は調整が必要と判定された場合、変換された事前にレンダリングされた３次元画像を調整するステップと、３次元画像の変換を必要とするイメージングアプリケーションを終了するかを判定するステップとを更に含んでもよい。イメージングアプリケーションを終了しないと判定した場合、本発明の一実施形態は、再検知するステップと、変換された事前にレンダリングされた３次元画像は調整が必要であるかを判定するステップと、調整するステップと、３次元画像の変換を必要とするイメージングアプリケーションを終了するかを判定するステップとを繰り返すことを含む。
【発明を実施するための最良の形態】
【００１２】
本発明の実施形態に従って、近接センサは、表示画面に対する携帯電話の観察者の距離を確定するのに使用されてもよい。その内容が参考として本明細書に全て取り入れられている米国特許第６，５３２，４４７号公報及び米国特許出願第１０／８１８，００６号に説明される近接センサなど、様々な近接センサが距離データを決定するのに使用されてもよい。本発明の実施形態は、３次元画像の「左」画像及び「右」画像に対する透視図及び移動を採用するのに使用されてもよい近接センサを提供する。近接センサからの距離データに基づく移動及び／又はレンダリングを行うことにより、ユーザは、任意の距離において理想的な観察ができる。これは、リアルタイムでレンダリングされた３次元画像、及び事前にレンダリングされた画像の双方に当てはまる。前者は、距離データに基づいてレンダリングされ、後者は、透視図が変換及び移動される。立体画像は、距離データに基づいて、実行時に変換することもできる。装置のカメラが観察者に向けられている場合（例えば、ビデオ電話対応携帯電話）は、距離データはカメラから計算されてもよい。以下に更に詳細に定義されるように、本発明は、観察者の特徴の位置を確認し、その特徴の大きさ及び／又は間隔を利用して距離を算出することにより、カメラ自体を近接センサとして用いる画像分析を使用することを目的とする。
【００１３】
図１Ａ〜図１Ｃを参照すると、２次元媒体上における３次元イメージングが示されている。ユーザは、所定の距離において、２次元画面１００上の３次元画像の正面図を観察してもよい。最適な観察のためには、ユーザの目１０２は、画面１００からほぼ所定の距離にある必要がある。通常、右目１０２に提供された画像からわずかに異なって見える画像を左目１０２に提供することで、３次元画像が作成される。ユーザが画面１００からほぼ所定の距離にない場合は、画像はぼやけるか又は各目１０２により観察される２つの個別の画像に分解される。
【００１４】
３次元画像は、ディスプレイ１００上に正面図で表示される（例えば、垂直な角度で観察される）。ユーザがｘ方向に移動する場合、画像は、図１Ｃに従って、ユーザの新しい位置における正面図に再レンダリングされる。本発明のいくつかの実施形態に従って、３次元画像は、ユーザに３次元画像の側面図を提供するようにレンダリングされてもよい。
【００１５】
図１Ｄを参照すると、３次元画像の側面図の観察が示されている。３次元物体の異なる面をレンダリングすることにより、ユーザは、３次元物体の周囲、上方、及び下方を見ることができてもよい。ユーザは、３次元画像の側面を見るためにｘ方向へ移動してもよく、あるいは３次元画像の上面又は底面を見るためにｚ方向へ移動してもよい。
【００１６】
図２を参照すると、本発明の一実施形態を組み込む携帯電話が示されている。携帯電話２００は、画像を観察する為のディスプレイ２０２と、ユーザの位置又は携帯電話２００とユーザとの間の距離を決定するセンサ２０４とを含む。上述のように、対象物の距離又は位置を決定するために、本出願と同一の譲受人に譲渡された米国特許出願第１０／８１８，００６号に説明されるように、様々なセンサが採用されてもよい。例えば、近接（静電容量、誘導、温度、赤外線など）センサが、センサ２０２からユーザまでの距離を決定するのに使用されてもよい。センサ２０４から受信したデータに基づいて、ディスプレイ２０２は、特にセンサ２０４により検知された距離に対してレンダリングされた３次元画像を示してもよい。更に、ディスプレイは、センサ２０４から受信したデータに基づいて、正面図及び側面図などでレンダリングされた３次元画像を示してもよい。
【００１７】
図３を参照すると、本発明の一実施形態に従った携帯電話、ＰＤＡ、ラップトップコンピュータなどの携帯装置３００が示されている。装置３００は、ユーザの位置又は距離を検知するセンサ２０４と、画像を表示するディスプレイ２０２とを含む。装置は、装置３００を制御するプロセッサ３０２と、３次元画像を生成する画像生成部３０６とを更に含む。画像生成部３０６は、プロセッサ３０２と共に設置されてもよいし、種々の実施形態においてプロセッサ３０２とは別に設置されてもよい。装置は、装置３００に電力を供給する電池３０４をオプションで含んでもよい。
【００１８】
プロセッサ３０２又は画像生成部３０６は、センサ２０４から位置データ又は距離データを受信し、装置３００とユーザの位置又は距離を決定する。本明細書で定義される位置データは、２次元又は３次元においてユーザの位置を決定するのに使用される任意の種類のデータを示す。本明細書で定義される距離データは、装置２００とユーザとの間の距離を決定するのに使用される任意の種類のデータを示す。例えば、距離データは、装置２００からユーザまでの実際の距離（例えば、センチメートル又はインチなどで表される）であってもよい。あるいは、図４を参照して以下に示されるように、距離データは、特定のパラメータに関してでもよい。このパラメータは、プロセッサ３０２又は画像生成部３０６によりアクセスされるデータテーブル内で検索される。例えば、距離データは、ユーザの顔の特徴の大きさ、又はユーザの顔の種々の特徴の間の距離（例えば、ユーザの目の瞳孔の間の距離）に関してでもよい。ユーザの特徴に関する位置データ又は距離データは、以下に説明するようにカメラを用いて計算されてもよい。プロセッサ３０２が特徴の大きさを受信する場合、データテーブル内の特徴の大きさに関連する距離を検索することにより距離が決定されるように、特徴の相対的大きさ及び距離は、データテーブル内で相互に参照されてもよい。
【００１９】
３次元画像をリアルタイムでレンダリングする場合、位置データ又は距離データは、ディスプレイ２０２上に３次元画像をレンダリングするのに使用される。３次元画像は、センサ２０４により検知された特定の位置又は距離に対してレンダリングされる。事前にレンダリングされた３次元画像を提示するために装置３００が使用される場合は、透視画像が変換及び移動されて、検知された距離における画質を向上する。立体画像は、センサ２０４から送信された距離データに基づいて、実行中にレンダリングされてもよい。
【００２０】
具体的には、ディスプレイ２０２上に示される３次元画像は、２つの構成部分、すなわち右画像及び左画像により構成される。右画像は右目により観察され、左画像は左目により観察される。本発明に従って、画像を３次元イメージングでレンダリングする場合、左右の画像を移動することにより、左右の画像は位置又は検知された距離に適応され、検知された距離において、改善されたユーザ体験を実現する。例えば、センサ２０４は、ユーザと装置３００との間の距離ｄを検知してもよい。その後、距離ｄにおいて観察される３次元画像を提供するために、右画像及び左画像はレンダリング又は変換及び移動される。ユーザは、装置３００を移動してユーザの顔に近づけてもよく、その間に、センサ２０４は、装置３００とユーザとの間の距離がｄ−４センチメートル（ｃｍ）であると決定する。距離ｄ−４ｃｍにおいて観察される３次元画像を提供するために、右画像及び左画像は、再レンダリング又は再変換及び移動されてもよい。各ユーザが装置３００をユーザ自身から離して保持する距離にかかわらず、３次元画像は、最良の観察体験を提供するように調整されてもよい。
【００２１】
図４を参照すると、本発明の別の実施形態による携帯装置４００が示されている。携帯装置４００は、図３に示される装置と同様に、プロセッサ４０２、画像生成部４０６、ディスプレイ２０２及びオプションの電池３０４を含む。しかしながら、ユーザと装置４００との間の距離を決定するために、オプションのセンサ２０４の代わり又はセンサ２０４と連携して、カメラ４０４が使用されてもよい。一実施形態において、センサ２０４及びカメラ４０４は共に使用され、位置又は正確な距離ｄを決定してもよい。別の実施形態において、カメラ４０４は、センサ２０４の代わりに位置又は距離ｄを決定してもよい。この別の実施形態において、カメラ４０４は単独で位置データ又は距離データをプロセッサ４０２へ提供し、センサ２０４は装置４００中に存在しなくてもよい。
【００２２】
センサ２０４は、装置４００からユーザの特定の特徴（例えば、鼻、目、顔面、及び耳など）への位置又は距離を検知してもよいため、カメラ４０４は、多くの技術に基づいて、装置４００からユーザへの位置又は距離を決定してもよい。例えば、カメラ４０４は、ユーザの画像を撮影し、特定の特徴（例えば、目、鼻、顔面、及び口など）の大きさに基づいて位置又は距離を決定してもよい。ユーザが装置４００の片側に移動するか、あるいは装置４００に近づく又は離れるように移動すると、カメラ４０４により撮影された画像は分析され、特定の特徴の大きさ又は位置が決定されてもよい。ユーザが移動する場合、プロセッサ４０２は、１つ以上の画像をカメラ４０４から受信し、２つ以上の画像から特定の特徴の相対的な大きさを比較して、位置又は距離の変化を決定してもよい。あるいは、プロセッサ４０２は、１つ以上の画像を受信し、カメラ４０４からの他の受信画像に関係なく、位置又は距離を計算してもよい。
【００２３】
例えば、カメラ４０４は画像を撮影してもよく、プロセッサ４０２はその画像に基づいて位置又は距離ｄを決定する。その後、カメラ４０４は、時間が経過した時点で追加の画像を撮影してもよく、プロセッサは、後続の画像を前回の画像と比較して、撮影された複数の画像間の位置又は距離の差を、例えば＋２ｃｍと決定する。ディスプレイ２０２上に提示するための右画像及び左画像は、ｄ＋２ｃｍの観察距離に対して調整されてもよい。あるいは、画像は、画像の側面、上面、底面などを観察するために調整されてもよい。上述のように、カメラ４０４は画像を撮影してもよく、プロセッサ４０２は、他の先に撮影された画像又は後に撮影された画像と比較することなく、撮影された画像に基づいてユーザと装置４００との間の距離を計算する。更に、カメラ４０４は、センサ２０４と連携して又はセンサ２０４の代わりに、ユーザと装置４００の位置又は距離を検知するのに使用されてもよい。カメラ４０４は、最初の位置又は距離を決定するのに使用され、センサ２０４は、所定の時間間隔で位置又は距離を検知してもよい。あるいは、センサ２０４は、最初の位置又は距離を検知してもよく、カメラ４０４は、検知された位置又は距離を所定の時間間隔で更新するのに使用されてもよい。カメラ４０４とセンサ２０４との種々の他の組み合わせが装置４００とユーザとの位置又は距離を決定するのに使用されてもよいことが、当業者には理解されるだろう。
【００２４】
更に、検知された位置又は距離の小さな変化に基づいて画像が調整されるのを避けるために、検知された位置又は距離の前後に範囲が作成されてもよい。例えば、現在、ユーザが距離ｄにおいて３次元画像を観察している場合、ユーザが、例えばｄ±５ｃｍの許容範囲内にとどまる場合は、画像は調整されなくてもよい。ユーザが許容範囲外へ移動したとセンサ２０４又はカメラ４０４が決定した場合、画像は、ユーザの新しい観察距離に対して調整される。ｄ±５ｃｍの範囲とは単なる例であり、本発明の面から逸脱せずに他の範囲が使用されてもよいことは当業者に理解されるだろう。
【００２５】
図５を参照すると、３次元画像をレンダリングする方法５００を示すフローチャートが示されている。ステップ５０２において、装置とユーザとの位置又は距離は、センサ２０４、カメラ４０４又はその双方を介して検知される。ステップ５０４において、検知された位置又は距離における観察のために、画像がレンダリングされる。ステップ５０６において、ステップ５０２における検知から所定の時間間隔で、ユーザの位置又は距離が検知される。あるいは、ステップ５０６は、ユーザ又は装置４００の検知された移動などの動作に反応して開始されてもよい。ステップ５０８において、画像生成部３０６又は４０６は、画像を調整する必要があるかを判定する。前述のように、画像は、検知された位置／距離の変化ごとに調整されてもよく、検知された位置／距離が許容範囲外になった場合に調整されてもよい。
【００２６】
ステップ５０８において、画像を調整する必要があると判定された場合、方法はステップ５０４へ戻る。画像を調整する必要がないと判定された場合は、ステップ５１０において、イメージングを終了するかを判定する。イメージングを終了する場合は、ステップ５１２において、イメージングアプリケーションが終了される。ステップ５１０においてイメージングを終了しないと判定した場合は、方法はステップ５０６へ戻る。ステップ５１０は、所定の時間間隔でステップ５０６へ戻ってもよく、ユーザが開始した動作（例えば、ボタン又はキーの操作）、ユーザの検知された移動、又は装置４００の検知された移動などの動作に反応してステップ５０６へ戻ってもよい。
【００２７】
次に図６を参照すると、事前にレンダリングされた３次元画像を調整する方法６００を示すフローチャートが示されている。ステップ６０２において、事前にレンダリングされた画像は、装置３００又は４００に受信されるか又は処理を開始される。ステップ６０４において、装置３００又は４００とユーザとの位置又は距離は、センサ２０４、カメラ４０４又はその双方を介して検知される。ステップ６０６において、検知された位置又は距離における観察のために、画像は調整される。ステップ６０８において、ユーザと装置３００又は４００との位置又は距離が検知される。ステップ６０８は、所定の時間間隔で開始されてもよく、ユーザあるいは装置３００又は４００の検知された移動などの動作に反応して開始されてもよい。ステップ６１０において、画像生成部３０６又は４０６は、位置データ又は距離データに基づいて画像を調整する必要があるかを判定する。前述のように、画像は、検知された位置／距離の変化ごとに調整されてもよく、検知された位置／距離が許容範囲外になった場合に調整されてもよい。
【００２８】
ステップ６１０において画像を調整する必要があると判定された場合、方法はステップ６０６へ戻る。画像を調整する必要がないと判定された場合は、ステップ６１２において、イメージングを終了するかを判定する。イメージングを終了する場合は、ステップ６１４において、イメージングアプリケーションが終了される。ステップ６１２において、イメージングを終了しないと判定した場合は、方法はステップ６０８へ戻る。上述のように、ステップ６１２は、所定の時間間隔でステップ６０８へ戻ってもよく、ユーザが開始した動作、ユーザの検知された移動、あるいは装置３００又は４００の検知された移動などの動作に反応してステップ６０８へ戻ってもよい。
【００２９】
本発明の種々の実施形態の操作及び構成は、上述の詳細な説明より明らかである。種々の装置が説明されたが、以下の請求の範囲で規定される本発明の趣旨の範囲から逸脱せずに種々の変更及び変形が行われてもよいことが当業者には明らかであるだろう。従って、添付の請求の趣旨の範囲は、本明細書に含まれる実施形態の説明に限定されるべきではない。
【図面の簡単な説明】
【００３０】
【図１Ａ】２次元媒体に示される３次元イメージングを示す図である。
【図１Ｂ】２次元媒体に示される３次元イメージングを示す図である。
【図１Ｃ】２次元媒体に示される３次元イメージングを示す図である。
【図１Ｄ】２次元媒体に示される３次元イメージングを示す図である。
【図２】本発明の一実施形態による移動電話を示す図である。
【図３】本発明の一実施形態を組み込む移動電話を示すブロック図である。
【図４】本発明の別の実施形態を組み込む移動電話を示すブロック図である。
【図５】本発明の一実施形態に従って３次元画像をレンダリングする方法を示すフローチャートである。
【図６】本発明の別の実施形態に従って３次元画像をレンダリングする方法を示すフローチャートである。
【図１Ａ】
2008503779.tif 000003
【図１Ｂ】
2008503779.tif 000004
【図１Ｃ】
2008503779.tif 000005
【図１Ｄ】
2008503779.tif 000006
【図２】
2008503779.tif 000007
【図３】
2008503779.tif 000008
【図４】
2008503779.tif 000009
【図５】
2008503779.tif 000010
【図６】
2008503779.tif 000011
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
３次元画像をレンダリングする装置であり、
前記３次元画像を表示する表示面と、
前記装置と前記装置のユーザとの位置及び距離のうち少なくとも１つに関する距離データに基づいて、前記３次元画像をレンダリングする画像生成部とを含む装置であって、
前記装置に装着され、前記ユーザの少なくとも１つの特徴を含む前記ユーザの画像を少なくとも１つ撮影するカメラと、
前記特徴が前記撮影画像内に現れるときに、その大きさを決定するために前記撮影画像を分析し、前記特徴の前記決定された大きさに基づいて前記距離データを作成するプロセッサと
を備えることを特徴とする装置。
【請求項２】
前記カメラは、前記ユーザの第１の画像及び第２の画像を撮影し、
前記プロセッサは、前記装置と前記装置の前記ユーザとの位置又は距離における差を決定するために、前記第１の画像を前記第２の画像と比較し、
前記レンダリングされた３次元画像は調整が必要であると判定された場合、前記画像生成部は、前記レンダリングされた３次元画像を調整することを特徴とする請求項１に記載の装置。
【請求項３】
前記特徴は、前記ユーザの目、鼻、顔面、及び口のうち少なくとも１つであることを特徴とする請求項１に記載の装置。
【請求項４】
前記距離データは、前記ユーザの２つの特徴の間の距離に基づくことを特徴とする請求項１に記載の装置。
【請求項５】
前記２つの特徴は、左目、及び右目であることを特徴とする請求項４に記載の装置。
【請求項６】
前記２つの特徴は、目、及び鼻であることを特徴とする請求項４に記載の装置。
【請求項７】
前記距離データは、前記ユーザと前記装置とのリアルタイムで検知された位置、及びリアルタイムで検知された距離のうち少なくとも１つを含むことを特徴とする請求項１に記載の装置。
【請求項８】
前記距離データは、位置データ又は距離データの前回のセットと、位置データ又は距離データの現在検知されているセットと、の間の差を含むことを特徴とする請求項１に記載の装置。
【請求項９】
前記装置は、携帯電話、パーソナルデジタルアシスタント（ＰＤＡ）、及びラップトップコンピュータのうち少なくとも１つであることを特徴とする請求項１に記載の装置。
【請求項１０】
３次元画像をレンダリングする方法であり、
ユーザの位置、及びユーザまでの距離のうち少なくとも１つを検知し、
前記ユーザの前記位置、又は前記ユーザまでの前記距離のうち少なくとも１つに基づいて距離データを収集し、
前記距離データに基づいて、前記３次元画像をレンダリングする方法であって、
前記ユーザの少なくとも１つの特徴を含む前記ユーザの画像を少なくとも１つ撮影し、
前記特徴が前記撮影画像内に現れるときに、その大きさを決定するために前記撮影画像を分析し、
前記特徴の前記決定された大きさに基づいて、前記距離データを作成することを特徴とする方法。
【請求項１１】
更に、
前記ユーザの前記位置及び前記距離のうち少なくとも１つを再検知し、
前記レンダリングされた３次元画像は調整が必要であるかを判定し、
前記レンダリングされた３次元画像は調整が必要であると決定された場合、前記レンダリングされた３次元画像を調整し、
前記３次元画像のレンダリングを必要とするイメージングアプリケーションを終了するかを判定することを特徴とする請求項１０に記載の方法。
【請求項１２】
前記ユーザの第１の画像及び第２の画像を撮影し、
前記ユーザの位置又は距離における差を決定するために、前記第１の画像を前記第２の画像と比較し、
前記レンダリングされた３次元画像は調整が必要であると判定された場合、前記レンダリングされた３次元画像を調整することを特徴とする請求項１１に記載の方法。
【請求項１３】
更に、
前記イメージングアプリケーションを終了しないと判定した場合、前記再検知するステップと、前記レンダリングされた３次元画像は調整が必要であるかを判定するステップと、前記調整するステップと、前記３次元画像のレンダリングを必要とするイメージングアプリケーションを終了するかを判定するステップとを繰り返すことを特徴とする請求項１１に記載の方法。
【請求項１４】
イメージングアプリケーションを終了するかを判定する前記ステップは、前記イメージングアプリケーションを終了する入力を前記ユーザから受信するステップを含むことを特徴とする請求項１１に記載の方法。
【請求項１５】
事前にレンダリングされた３次元画像を変換する方法であり、
前記事前にレンダリングされた３次元画像を受信し、
前記ユーザの位置、及びユーザまでの距離のうち少なくとも１つを検知し、
前記ユーザの前記検知された位置、及び前記検知された距離のうち少なくとも１つに基づいて距離データを生成し、
前記事前にレンダリングされた３次元画像を、前記距離データに基づいて変換する方法であって、
前記ユーザの少なくとも１つの特徴を含む前記ユーザの画像を少なくとも１つ撮影し、
前記特徴が前記撮影画像内に現れるときに、その大きさを決定するために前記撮影画像を分析し、
前記特徴の前記決定された大きさに基づいて、前記距離データを作成することを特徴とする方法。
【請求項１６】
更に、
前記ユーザの前記位置及び前記距離のうち少なくとも１つを再検知し、
前記変換された事前にレンダリングされた３次元画像は調整が必要であるかを判定し、
前記事前にレンダリングされた３次元画像は調整が必要と判定された場合、前記変換された事前にレンダリングされた３次元画像を調整し、
前記３次元画像の変換を必要とするイメージングアプリケーションを終了するかを判定することを特徴とする請求項１５記載の方法。
【請求項１７】
前記ユーザの第１の画像、及び第２の画像を撮影し、
前記ユーザの位置又は距離における差を決定するために、前記第１の画像を前記第２の画像と比較し、
前記レンダリングされた３次元画像は調整が必要であると判定された場合、前記レンダリングされた３次元画像を調整することを特徴とする請求項１６に記載の方法。
【請求項１８】
更に、
前記イメージングアプリケーションを終了しないと判定した場合、前記再検知するステップと、前記変換された事前にレンダリングされた３次元画像は調整が必要であるかを判定するステップと、前記調整するステップと、前記３次元画像の変換を必要とするイメージングアプリケーションを終了するかを判定するステップとを繰り返すことを特徴とする請求項１６に記載の方法。
【請求項１９】
イメージングアプリケーションを終了するかを判定する前記ステップは、前記イメージングアプリケーションを終了する入力を前記ユーザから受信するステップを含むことを特徴とする請求項１６に記載の方法。
【国際調査報告】
2008503779.tif 000012
2008503779.tif 000013
2008503779.tif 000014